(57)【要約】    【課題】  モータ内部への粉塵侵入を防止し故障の防止や耐久性を向上するとともに、生産性の向上、コストダウンを図ることができるシロッコファンを使用した送風機を提供する。    【解決手段】  アウターローター型ブラシレス直流モータを有し、前記モータＭはカバー１５内部にリング状の固定子１０が配され、前記固定子１０の内周側に軸受け１３を介してシャフト２４が回転自在に配され、前記シャフト２４に略カップ状の回転子２０が取り付けられ、前記カップ状の回転子２０の内周面側にマグネット２２が取り付けられて前記固定子１０の外周側と相対向し、また、前記カップ状の回転子２０のヨーク２１にシロッコファン３０が取り付けられた送風機において、前記カバー１５は、前記カップ状の回転子２０のヨーク２１を除く部分を覆い、前記シロッコファン３０の多数の羽根３１が配列された基板３４に、前記羽根３１の内周側に複数の空気吸入孔３２を円周上に設ける。    【選択図】    図１
2006188991.tif 000002
【特許請求の範囲】
【請求項１】
アウターローター型ブラシレス直流モータを有し、前記モータは、モータのカバー内部にリング状の固定子が配され、前記固定子の内周側に軸受けを介してシャフトが回転自在に配され、前記シャフトに略カップ状の回転子が取り付けられ、前記カップ状の回転子の内周面側にマグネットが取り付けられて前記固定子の外周側と相対向し、また、前記カップ状の回転子のヨークにシロッコファンが取り付けられた送風機において、
前記カバーは、前記カップ状の回転子のヨークを除く部分を覆い、
前記シロッコファンの多数の羽根が配列された基板に、前記羽根の内周側に複数の空気吸入孔を円周上に設けた
ことを特徴とする送風機。
【請求項２】
前記回転子のヨークとシロッコファンとを樹脂により一体成形した
ことを特徴とする請求項１に記載の送風機。
【請求項３】
前記回転子のヨークとシロッコファンとが別体からなり、前記ヨークにシロッコファンが取り付けられている
ことを特徴とする請求項１に記載の送風機。
【請求項４】
給湯器の空気供給に用いる送風機である
ことを特徴とする請求項１〜３のいずれかに記載の送風機。
【発明の詳細な説明】
【技術分野】
【０００１】
本発明は、ガス給湯器等の空気供給用ファンとして用いられる送風機に関する。
【背景技術】
【０００２】
従来より、ガス給湯器には、燃焼用空気をバーナー部へ供給する送風機が設けられ、このような送風機には騒音の少ないシロッコファンを送風用ファンとして使用したものが多く用いられてきた（例えば、特許文献１）。
【０００３】
図５は、シロッコファンを使用した送風機の従来例を示すもので、ケーシングを除いた送風ファン１００を示す縦断面図である。
【０００４】
送風ファン１００は、リング状の固定子１１０と、固定子１１０の内周側に軸受け１１３を介して回転自在に配されたシャフト１２４の一方側に略カップ状の回転子１２０が固着され、前記カップ状の回転子１２０の内周面側にマグネット１２２が取り付けられて前記固定子１１０の外周側と相対向して回転子１２０が形成され、モータＭのカバー１１５が前記カップ状の回転子１２０のヨーク１２１を除く部分を覆うアウターローター型ブラシレス直流モータを有している。
【０００５】
シロッコファン１３０は、シャフト１２４に固着されたヨーク１２１のカップ部１２５外周から外方に延設されたつば状円環部１２６の縁周部に沿って多数の羽根１３１が等間隔に配列されてファンを形成し、これにより回転子１２０とシロッコファン１３０とが一体化され、送風機の小型、軽量化が図られている。
【０００６】
上記のような送風ファン１００では、モータ内部への粉塵の侵入を防止するために、回転子ヨーク１２１のカップ部外周部１２３とモータＭを覆うカバー１１５の内周部１１５ａとの間の隙間Ｓ’を小さくしモータ内部をほぼ密閉状態にする必要があり（図５のＢ部拡大図参照）、このため、カップ部１２５の外周１２３とカバー１１５の内周部１１５ａとが運転中に接触しやすいという問題があった。
【０００７】
このモータ内部への塵埃侵入と接触の防止とを両立させるために、カップ部外周部１２３とカバー１１５の内周部１１５ａとの隙間Ｓ’を小さく維持する高度の部品精度が要求され、特に回転振れによる接触を防止するためには固定子や回転子を構成する各部品の高度な製造技術を必要とし、生産性の低下やコストアップの原因となっていた。
【特許文献１】特開平１１−３７０９０号公報
【発明の開示】
【発明が解決しようとする課題】
【０００８】
本発明は、かかる従来の問題点を改善するもので、モータ内部への粉塵侵入を防止し故障の防止や耐久性を向上するとともに、生産性の向上、コストダウンを図ることができるアウターロータ型モータを有するシロッコファンを使用した送風機を提供することを目的とするものである。
【課題を解決するための手段】
【０００９】
請求項１の発明は、アウターローター型ブラシレス直流モータを有し、前記モータは、モータのカバー内部にリング状の固定子が配され、前記固定子の内周側に軸受けを介してシャフトが回転自在に配され、前記シャフトに略カップ状の回転子が取り付けられ、前記カップ状の回転子の内周面側にマグネットが取り付けられて前記固定子の外周側と相対向し、また、前記カップ状の回転子のヨークにシロッコファンが取り付けられた送風機において、前記カバーは、前記カップ状の回転子のヨークを除く部分を覆い、前記シロッコファンの多数の羽根が配列された基板に、前記羽根の内周側に複数の空気吸入孔を円周上に設けたことを特徴とする送風機である。
【００１０】
請求項２の発明は、前記回転子のヨークとシロッコファンとを樹脂により一体成形したことを特徴とする請求項１に記載の送風機である。
【００１１】
請求項３の発明は、前記回転子のヨークとシロッコファンとが別体からなり、前記ヨークにシロッコファンが取り付けられていることを特徴とする請求項１に記載の送風機である。
【００１２】
請求項４の発明は、給湯器の空気供給に用いる送風機であることを特徴とする請求項１〜３のいずれかに記載の送風機である。
【００１３】
請求項１に記載の送風機によれば、シロッコファンのファン内部が負圧状態になっているため、モータ周辺の空気が基板に設けた空気吸入孔からファン内部に吸引され流れ込み、カバーと回転子ヨークの隙間からのモータ内部への空気の流入を抑制することで塵埃の侵入を防止し故障の発生や耐久性を改善し、またモータのカバーと回転子との間隔を従来より大きくすることができるので高度の部品精度が不要となって生産性向上やコストダウンを図ることができ、さらに接触を無くすことで送風機の振動や騒音、破損の発生を防止するものとなる。
【００１４】
請求項２に記載の送風機では、回転子ヨークやファンの部品点数の削減及びその組み立て工程が簡略化されると同時に軽量化が可能となり生産性やコストがより改善され、かつ一体成形によって部品精度が向上し振動や騒音の発生も軽減される。
【００１５】
また請求項３に記載のようにヨークとシロッコファンとが別体からなるものでもよい。
【００１６】
請求項４に記載の送風機によれば、給湯器の耐久性を向上し、さらに低振動、低騒音化、価格の低減を図ることができる。
【発明の効果】
【００１７】
本発明の送風機によれば、モータ内部への塵埃の侵入に原因する送風機の故障や耐久性低下を改善するとともに、部品精度の緩和や点数削減により生産性を向上しコストダウンが図られる。また、低振動化、低騒音化にも寄与することができる。
【発明を実施するための最良の形態】
【００１８】
以下に本発明の実施形態を図面に基づいて説明する。
【００１９】
図１は、給湯器等の送風機に用いられる実施形態を示す送風機のケーシングを除いた送風ファン１の縦断面図であり、図２は図１の正面図、図３は図１におけるＡ部分の拡大図である。
【００２０】
送風ファン１は、固定子１０と回転子２０とからなるモータＭと、回転子２０のシャフト２４に固着され回転子２０と一体化されたシロッコファン３０とから構成されている。
【００２１】
モータＭは、モータのカバー１５内部に鉄心１１と鉄心１１に巻回されたコイル１２とからなるリング状の固定子１０が配され、固定子１０の内周側に軸受け１３を介してシャフト２４が回転自在に配され、前記シャフト２４の一方側に略カップ状の円盤体をなす回転子ヨーク２１がその中央部において固着され、前記カップ状の回転子２０の内周面側にマグネット２２が取り付けられて前記固定子１０の外周側と相対向して回転子２０が形成され、前記カバー１５が前記カップ状の回転子２０のヨーク２１を除く部分を覆いアウターローター型ブラシレス直流モータを構成している。
【００２２】
シロッコファン３０は、シャフト２４の一方側端部に固着された回転子２０のカップ部２５外周から外方に延設されたつば状円環部２６の縁周部に沿って多数の羽根３１が等間隔に配列されてファンを形成し、これにより回転子２０とシロッコファン３０とが一体に形成されている。
【００２３】
本実施形態においては、図示するように、前記回転子２０のヨーク２１とシロッコファン３０とが、熱可塑性樹脂或いは熱硬化性樹脂などの樹脂材料により一体成形されており、すなわち、ヨーク２１とシロッコファン３０の一体化により、回転子２０のつば状円環部２６がシロッコファン３０の多数の羽根３１を立設するファンの基板３４を兼ねるものとなっている。
【００２４】
また、上記の一体成形と同時に回転子２０のシャフト２４とヨーク２１とを一体化することもできる。
【００２５】
これにより、回転子２０やシロッコファン３０の部品点数の削減及びその圧入や溶接等の煩雑な組み立て工程が簡略化されることで生産性やコストダウンが図られ、また組立のバラツキを無くして回転部品の真円度を向上するなどの部品精度が向上されることで振動や騒音の発生も低減される。
【００２６】
また、ヨーク２１やファン３０の基板３４部分が従来の金属製から樹脂製となることで軽量化を実現することができ、射出成形などの樹脂成形により部品の加工コストを抑えて低価格化を図ることも可能となる。
【００２７】
また、樹脂としては、磁性樹脂を用いることもでき、回転子２０のカップ状内周面のマグネット部分を磁性化することで本発明を実施することもできる。
【００２８】
本発明にかかる送風ファン１は、回転子２０のつば状円環部２６に、すなわちシロッコファン３０の多数の羽根３１が配列された基板３４に、前記羽根３１の内周側に沿って複数の空気吸入孔３２が円周上に設けられている。
【００２９】
この空気吸入孔３２は、２個以上の複数の孔３２（図では８個）が円周上に等間隔に設けられ、その形状や大きさ、開孔数は特に制限されることはなく、ヨーク２１の強度や回転時の振動、騒音の発生に支障のない範囲で設けられ、形状としては騒音防止の点で図示するように円形、楕円形などの曲線で形成されるものが好ましい。
【００３０】
運転中のシロッコファン３０のファン内部３３は負圧状態であるので、この空気吸入孔３２を設けることで、吸入孔３２の背後部分、すなわち、回転子２０のカップ部２５の外周部２３とカバー１５の内周部１５ａとの間の隙間周辺の空気が空気吸入孔３２からファン内部３３に吸引され流れ込み（矢符Ｃ）、これによりモータ内部への空気の流入を抑制することで空中の塵埃がモータ内部に侵入するのを防止することができ、塵埃に起因する故障発生や耐久性を改善することができる。
【００３１】
このモータ内部に塵埃が侵入するのを防止することで、回転子２０のカップ部２５の外周部２３とカバー１５の内周部１５ａとの間の隙間Ｓの大きくすることができるので、隙間Ｓを小さく維持するための略カップ状の回転子２０やカバー１５の高度な部品精度が不要となり、また振動による接触の危険性も低下するので固定子１０や回転子２０、シロッコファン３０の各部品についてもその精度をある程度許容することで部品製造が容易となって送風機の生産性向上やコストダウンを図ることができる。
【００３２】
また、図３に示すＡ部拡大図のように、上記隙間Ｓを大きくすることで、モータ内部の空気を換気させる作用（矢符Ｄ）が働き、モータ内部の発熱を冷却する効果もありモータの耐久性の改善も図られる。
【００３３】
（変形例）
図４は、変形例の送風ファン５０を示す縦断面図である。モータの構成は上記の実施形態と同一であるので、その説明を省略する。
【００３４】
この変形例の送風ファン５０は、上記の実施形態に相違して、回転子ヨーク５１とシロッコファン５２とが別体で形成されている。
【００３５】
シロッコファン５２は、円盤状の基板５４の縁周部に沿って多数の羽根５７が等間隔に配列されてファンを形成し、その基板５４に上記の実施形態と同様に複数の空気吸入孔５３を設け、シロッコファン５２を取付ボルト５５によってヨーク５１に取り付けた後、ヨーク５１と共にシャフト５８の一端部に固着されることで、シロッコファン５２と回転子５６とを一体化した例である。
【００３６】
この変形例の送風ファン５０においても、上記実施形態と同様に、空気吸入孔５３からファン内部５９への空気の流入効果（矢符Ｅ）が得られ、モータ内部への塵埃の侵入を防止することができ、塵埃に起因する故障発生や耐久性を改善するとともに、送風機の生産性向上やコストダウンを図ることができる。
【産業上の利用可能性】
【００３７】
本発明の送風機は、家庭用や業務用の各種の用途、容量のガス、石油給湯装置に好適に使用することができるのは勿論であるが、各種用途の送風機としても広く利用することができる。
【図面の簡単な説明】
【００３８】
【図１】実施形態の送風ファンの縦断面図である。
【図２】同上の正面図である。
【図３】図１のＡ部の拡大図である。
【図４】変形例の送風ファンの縦断面図である。
【図５】従来例の送風ファンの縦断面図である。
【図６】図５のＢ部の拡大図である。
【符号の説明】
【００３９】
１……送風ファン
１０……固定子
１５……カバー
２０……回転子
２１……ヨーク
２４……シャフト
３０……シロッコファン
３１……羽根
３２……空気吸入孔
３４……基板
Ｍ……モータ
【図１】
2006188991.tif 000003
【図２】
2006188991.tif 000004
【図３】
2006188991.tif 000005
【図４】
2006188991.tif 000006
【図５】
2006188991.tif 000007
【図６】
2006188991.tif 000008